(57)【要約】【課題】  操作者の指の動かし方などには個人による癖があるので、従来のカメラは、同じ取り決められた操作を行うことが難しく、操作性が悪かった。【解決手段】  合焦機能やシャッタ機能に対応して操作される指の、タッチパネル３における接触位置がＳ６においてカスタマイズ化され、接触位置に応じて、登録手段により、操作者がＳ７において登録される。このため、登録された操作者の癖として、合焦機能やシャッタ機能に対応して操作される指の、タッチパネル３における接触位置をデジタルカメラ１に反映させることができ、同じ取り決められた操作であっても、操作者に合った操作にカスタマイズされるので、操作性の良いデジタルカメラ１を提供することができる。【選択図】  図３
2012008306.tif 000002
【特許請求の範囲】
【請求項１】
指の接触を検出するタッチセンサと、
前記タッチセンサによって検出された指の検出態様に応じて所定の装置機能を作動させる制御部と、
所定の前記装置機能に対応して操作される指の、前記タッチセンサにおける接触位置または所定の動作に掛かる時間に応じて操作者を登録する登録手段と
を備える撮像装置。
【請求項２】
請求項１に記載の撮像装置において、
所定の前記装置機能に対応して操作される指の、前記タッチセンサにおける接触位置または所定の動作に掛かる時間から、前記タッチセンサに触れた操作者が前記登録手段によって登録された操作者であるか否かを判定する判定手段と、
前記登録手段によって登録された操作者用のフォルダを作成するフォルダ作成手段と、
前記フォルダ作成手段によって作成されたフォルダに撮像データを記録する記録手段と
を備えることを特徴とする撮像装置。
【請求項３】
請求項１または請求項２に記載の撮像装置において、
前記タッチセンサに触れた操作者が前記登録手段によって登録された操作者でないと前記判定手段によって判定された場合に、前記タッチセンサからの操作入力を受け付けなくする操作ロック手段を備えることを特徴とする撮像装置。
【請求項４】
請求項１から請求項３のいずれか１項に記載の撮像装置において、
前記登録手段は、所定の前記装置機能に対応して複数回操作される指の、前記タッチセンサにおける接触位置または所定の動作に掛かる時間の平均値に応じて操作者を登録することを特徴とする撮像装置。
【請求項５】
請求項１から請求項４のいずれか１項に記載の撮像装置において、
前記タッチセンサとは異なる位置に設けられ、前記タッチセンサに触れる指とは異なる指の接触位置を検出する第２のタッチセンサを備え、
前記登録手段は、前記タッチセンサによって検出される接触位置と前記第２のタッチセンサによって検出される接触位置とに応じて操作者を登録することを特徴とする撮像装置。
【発明の詳細な説明】
【技術分野】
【０００１】
本発明は、タッチセンサを備えた撮像装置に関するものである。
【背景技術】
【０００２】
従来、この種の撮像装置として、例えば、特許文献１に開示されたカメラがある。このカメラは、操作者の指を接触させることにより静電容量が変化する静電容量式のセンサ部が、カメラ本体部の背面に１箇所、上面に２箇所設けられている。カメラ本体部の背面に設けられた第１センサ部に親指を接触させると共に、カメラ本体部の上面に設けられた第２センサ部に人差し指を接触させると、ピント合わせが行われる。その後、第１センサ部に親指を接触させたままの状態で、人差し指を第２センサ部からスライドさせてカメラ本体部の上面に設けられた第３センサ部に接触させると、シャッタが駆動されてＣＣＤ等に撮像された被写体像が記憶媒体に記憶される。
【先行技術文献】
【特許文献】
【０００３】
【特許文献１】特開２００５−５５７２３号公報
【発明の概要】
【発明が解決しようとする課題】
【０００４】
上記従来のカメラは、上記のように、ピント合わせを行うには、第１センサ部に親指を接触させたままの状態で第２センサ部に人差し指を接触させ、シャッタを切るには、第１センサ部に親指を接触させたままの状態で人差し指を第２センサ部からスライドさせて第３センサ部に接触させるという、所定の取り決められた操作をする必要がある。しかしながら、操作者の指の動かし方などには個人による癖があるので、上記従来のようなカメラは、同じ取り決められた操作を行うことが難しく、操作性が悪い。
【課題を解決するための手段】
【０００５】
本発明は、このような課題を解決するためになされたもので、
指の接触を検出するタッチセンサと、
タッチセンサによって検出された指の検出態様に応じて所定の装置機能を作動させる制御部と、
所定の装置機能に対応して操作される指の、タッチセンサにおける接触位置または所定の動作に掛かる時間に応じて操作者を登録する登録手段とを備えて、撮像装置を構成した。
【発明の効果】
【０００６】
本発明によれば、登録された操作者の癖として、所定の装置機能に対応して操作される指の、タッチセンサにおける接触位置または所定の動作に掛かる時間を撮像装置に反映させることができ、同じ取り決められた操作であっても、操作者に合った操作にカスタマイズされるので、操作性の良い撮像装置を提供することができる。
【図面の簡単な説明】
【０００７】
【図１】本発明の一実施形態によるデジタルカメラの外観を示す背面斜視図である。
【図２】図１に示すデジタルカメラの電気回路構成を示すブロック図である。
【図３】図１に示すデジタルカメラのエンジンによって行われる、タッチパネルの操作位置をカスタマイズするカスタマイズ処理の概略を示すフローチャートである。
【図４】図１に示すデジタルカメラのエンジンによって行われる撮影処理の概略を示すフローチャートである。
【図５】図１に示すデジタルカメラのエンジンによって行われるセキュリティ処理の概略を示すフローチャートである。
【図６】本発明の変形例によるデジタルカメラの外観を示す背面斜視図である。
【発明を実施するための形態】
【０００８】
次に、本発明による撮像装置をデジタルカメラに適用した場合における、本発明を実施するための一形態について説明する。
【０００９】
図１は、この一実施の形態によるデジタルカメラ１の外観を示す背面斜視図である。
【００１０】
デジタルカメラ１のカメラ筐体２の背面から見て右側上面の、操作者の指が掛かり易い箇所には、操作者の指の接触を検出するタッチパネル３が一つ設けられている。また、タッチパネル３の右端の一部には、操作者がタッチパネル３のタッチ位置を登録する際に押下操作する指操作カスタマイズボタン４が設けられている。カメラ筐体２の背面には背面モニタ５が設けられている。背面モニタ５は、ＴＦＴ（Thin Film Transistor）液晶などからなり、構図を確認するためのスルー画や撮影情報などの各種情報を表示すると共に、撮影した画像を再生表示する。背面モニタ５の右側には、図示しない、ズームボタンおよび十字ボタンが配置されている。ズームボタンは、背面モニタ５に表示される撮影画像を拡大、縮小表示させる際などに操作される。十字ボタンは、上下方向および左右方向といった操作方向を検出する方向キーからなり、デジタルカメラ１の各種設定を行うメニュー画面において、種々の設定項目の中から所望の設定項目を選択する際などに操作される。また、十字ボタンの中央には決定ボタンが設けられ、決定ボタンは十字ボタンの操作によって選択された所望の設定項目を決定する際などに操作される。
【００１１】
図２は、図１に示すデジタルカメラ１の電気回路構成を示すブロック図である。
【００１２】
デジタルカメラ１は、その動作を制御するＣＰＵ（Central Processing Unit）から構成されるエンジン１１を備えており、電源１２から電力供給を受けて動作する。エンジン１１は、ＥＥＰＲＯＭ（Electrically Erasable Programmable Read Only Memory）などからなる不揮発性メモリ、およびＲＡＭ（Random Access Memory）などからなるバッファメモリを備えている。エンジン１１は、不揮発性メモリに格納されている制御プログラムに従い、バッファメモリを一時記憶作業領域として、ＣＰＵによりデジタルカメラ１内部の各回路について種々の制御処理を行う。
【００１３】
エンジン１１にはタッチパネル３が接続されている。タッチパネル３は、抵抗膜式のタッチセンサから構成され、タッチパネル３に触れる指の位置座標を検出して、エンジン１１へ出力する。エンジン１１は、逐次入力される指の位置座標を解析してタッチパネル３の表面上を二次元的に動く指の動きのパターンを検出する。本実施形態では、エンジン１１は、操作者の指がタッチパネル３表面の所定箇所を所定時間以上タッチし続けるフォーカスタッチパターンを認識すると、撮像素子１３に被写体像を結像させる撮影レンズ７の焦点を被写体に合焦させる合焦機能を、所定の装置機能として作動させる。また、フォーカスタッチパターンの認識後所定時間以内に、操作者の指がタッチパネル３表面の所定箇所を再度タッチするシャッタタッチパターンを認識すると、撮像素子１３によって撮像される被写体像を記録するシャッタ機能を、所定の別の装置機能として作動させる。タッチパネル３は、指の接触を検出するタッチセンサを構成し、エンジン１１は、タッチパネル３によって検出された指の検出態様に応じて所定の装置機能を作動させる制御部を構成している。
【００１４】
カメラ筐体２の正面中央部に設けられた撮影レンズ７は撮影レンズ制御回路１４によって制御される。撮影レンズ７から導かれた被写体光は、ＣＣＤ（Charge Coupled Device）やＣＭＯＳ（Complementary Metal Oxide Semiconductor）などからなる撮像素子１３に導かれ、撮像素子１３の撮像面上に被写体像を投影する。撮像素子１３は、被写体像を撮像する撮像部を構成している。エンジン１１は、タッチパネル３にフォーカスタッチパターンを検出すると合焦機能を作動させ、撮像素子１３の撮像面上に投影される被写体のコントラストが最も高くなるように撮影レンズ制御回路１４を制御して撮影レンズ７の位置を移動させ、焦点を自動調整する。撮像素子１３の撮像面上に結像した被写体像は、撮像回路１５によって読み出されてアナログの撮像信号に変換され、所定の処理が施された後、デジタル信号化される。デジタル信号化された撮像信号はエンジン１１に取得され、エンジン１１は、取得した撮像信号に対して、ホワイトバランス処理やガンマ補正などの画像処理を行って画像データを生成し、圧縮処理を行ってエンジン１１内のバッファメモリに一旦格納する。バッファメモリに格納された画像データは、エンジン１１の制御により表示回路１９によって読み出され、撮像素子１３によって撮像される被写体像の構図を確認するためのスルー画像として背面モニタ５に再生表示される。背面モニタ５は、撮像素子１３によって撮像された被写体像を表示する表示部を構成している。エンジン１１は、タッチパネル３にシャッタタッチパターンを検出するとシャッタ機能を作動させ、画像データを不揮発性メモリからなる内蔵メモリ１６や、カードスロット１７に着脱されるメモリカード１８に保存する。
【００１５】
また、エンジン１１には指操作カスタマイズボタン４が接続されている。エンジン１１は、指操作カスタマイズボタン４が押下操作されると、上述した合焦機能やシャッタ機能などを作動させるタッチ操作における、操作者の指がタッチパネル３と接触する接触位置を操作者の情報として内蔵メモリ１６に登録する。エンジン１１および内蔵メモリ１６は、所定の装置機能に対応して操作される指の、タッチセンサにおける接触位置に応じて操作者を登録する登録手段を構成している。また、エンジン１１は、指操作カスタマイズボタン４の押下操作によって操作者が登録されると、登録された操作者用のフォルダを内蔵メモリ１６またはメモリカード１８に作成するフォルダ作成手段、および、撮影した撮影データを作成したフォルダに記録する記録手段を構成している。また、エンジン１１は、判定手段を構成しており、所定の装置機能に対応して操作される指の、タッチパネル３における接触位置から、タッチパネル３に触れた操作者が登録手段によって登録された操作者であるか否かを判定する。
【００１６】
また、エンジン１１には音声処理回路２２が接続されている。音声処理回路２２は、エンジン１１の制御に基づいて出音信号を生成する。生成された出音信号は、スピーカアンプ２３によって増幅されて、出音信号に基づいた音がスピーカ２４からデジタルカメラ１の外部に出音される。また、エンジン１１には各種操作部材２１が接続されている。この各種操作部材２１は、上述したズームボタンや、十字ボタン、決定ボタン、図示しない電源ボタン、メニューボタン、および再生ボタンなどからなる。電源ボタンは、デジタルカメラ１の電源のＯＮ／ＯＦＦを操作する際に、操作される。メニューボタンは、デジタルカメラ１の種々の設定を行うためのメニュー画面を背面モニタ５に表示させる際に、操作される。再生ボタンは、内蔵メモリ１６やメモリカード１８に保存された撮影画像を背面モニタ５に再生表示させる際に、操作される。
【００１７】
次に、図３に示すフローチャートを参照して、デジタルカメラ１のエンジン１１によって行われるタッチパネル３の操作位置のカスタマイズ処理について説明する。
【００１８】
エンジン１１は、Ｓ１において、操作者によって指操作カスタマイズボタン４が押下操作されたか否かを、判定する。指操作カスタマイズボタン４が押下操作されて、Ｓ１の判定結果が“Ｙｅｓ”であった場合、エンジン１１は、Ｓ２において、操作者の指がタッチパネル３のシャッタボタンタッチ領域にタッチされているか否かを、判定する。操作者の指がタッチパネル３のシャッタボタンタッチ領域にタッチされておらず、Ｓ２の判定結果が“Ｎｏ”であった場合、エンジン１１は、Ｓ２の処理を繰り返す。
【００１９】
操作者の指がタッチパネル３のシャッタボタンタッチ領域にタッチされていて、Ｓ２の判定結果が“Ｙｅｓ”であった場合、エンジン１１は、Ｓ３において、タッチパネル３がタッチされているタッチ座標を取得する。エンジン１１は、続くＳ４において、タッチパネル３がタッチされた回数が所定回数Ａ１を越えたか否かを、判定する。タッチパネル３がタッチされた回数が所定回数Ａ１を越えておらず、Ｓ４の判定結果が“Ｎｏ”であった場合、エンジン１１は、Ｓ３の処理を繰り返す。一方、タッチパネル３がタッチされた回数が所定回数Ａ１を越えていて、Ｓ４の判定結果が“Ｙｅｓ”であった場合、エンジン１１は、Ｓ５において、所定回数検出したタッチ座標の平均値を算出して、操作者にあった最適なシャッタボタンのタッチ位置を求める。エンジン１１は、続くＳ６において、シャッタ機能を作動させるシャッタボタンのタッチ位置をＳ５で求めたタッチ位置にして、デジタルカメラ１を操作する操作者用にカスタマイズ化すると共に、操作者用のフォルダを作成し、作成したフォルダのフォルダ名を操作者に入力させる。次に、エンジン１１は、Ｓ７において、操作者を登録する。すなわち、エンジン１１は、シャッタ機能に対応して複数回操作される指の、タッチパネル３における接触位置の平均値に応じて、操作者を登録する。
【００２０】
指操作カスタマイズボタン４が押下操作されず、Ｓ１の判定結果が“Ｎｏ”であった場合、または、Ｓ７の処理の後、エンジン１１は、Ｓ８において、タッチパネル３のカスタマイズ化されたタッチ位置をタッチして行われるタッチフォーカスおよびタッチレリーズによる後述する撮影処理を行い、続くＳ９において、撮影した画像データをＳ６で作成した操作者のフォルダに保存する。
【００２１】
次に、図４に示すフローチャートを参照して、図３，Ｓ８において、デジタルカメラ１のエンジン１１によって行われる撮影処理について説明する。
【００２２】
この撮影処理では、エンジン１１は、Ｓ１１において、操作者の指が、図３，Ｓ６でカスタマイズ化されたタッチパネル３のタッチ位置をタッチし続けているか否かを、判定する。操作者の指がカスタマイズ化されたタッチパネル３のタッチ位置をタッチし続けておらず、Ｓ１１の判定結果が“Ｎｏ”であった場合、エンジン１１は、Ｓ１１の処理を繰り返す。
【００２３】
操作者の指がカスタマイズ化されたタッチパネル３のタッチ位置をタッチし続けていて、Ｓ１１の判定結果が“Ｙｅｓ”であった場合、エンジン１１は、Ｓ１２において、カスタマイズ化されたタッチパネル３のタッチ位置がタッチされるタッチ時間を累積カウントする。エンジン１１は、続くＳ１３において、Ｓ１２で累積カウントしたタッチ時間が所定時間Ｂ１よりも長いか否かを、判定する。累積タッチ時間が所定時間Ｂ１よりも短く、Ｓ１３の判定が“Ｎｏ”であった場合、エンジン１１は処理をＳ１１に戻す。一方、累積タッチ時間が所定時間Ｂ１よりも長く、Ｓ１３の判定が“Ｙｅｓ”であった場合、エンジン１１は、Ｓ１４において、撮影レンズ７の位置を移動させてフォーカスを合わせ、Ｓ１５において、背面モニタ５上に、ピント合わせが行われたことを示すフォーカス枠６を図１に示すように表示させる。
【００２４】
次に、エンジン１１は、Ｓ１６において、操作者の指がカスタマイズ化されたタッチパネル３のタッチ位置をタッチし続けているか否かを、判定する。操作者の指がカスタマイズ化されたタッチパネル３のタッチ位置をタッチし続けていて、Ｓ１６の判定結果が“Ｙｅｓ”であった場合、エンジン１１は、Ｓ１７において、フォーカス合わせをやり直すか否かを、操作者に選択させる。フォーカス合わせをやり直さない選択がされ、Ｓ１７の判定が“Ｎｏ”であった場合、エンジン１１は処理をＳ１６に戻す。一方、フォーカス合わせをやり直す選択がされ、Ｓ１７の判定が“Ｙｅｓ”であった場合、エンジン１１は処理をＳ１４に戻す。
【００２５】
一方、操作者の指がカスタマイズ化されたタッチパネル３のタッチ位置をタッチし続けておらず、Ｓ１６の判定結果が“Ｎｏ”であった場合、エンジン１１は、Ｓ１８において、操作者が、フォーカス合わせ後に指をタッチパネル３から一度離して再度タッチするまでに要した時間が所定時間間隔Ｂ２以内であるか否かを、判定する。指をタッチパネル３から一度離して再度タッチするまでに要した時間が所定時間間隔Ｂ２以内でなく、Ｓ１８の判定結果が“Ｎｏ”であった場合、エンジン１１は、モニタ５にフォーカス合わせ解除通知を表示し、Ｓ１４で行ったフォーカス合わせを解除して処理をＳ１１に戻す。一方、指をタッチパネル３から一度離して再度タッチするまでに要した時間が所定時間間隔Ｂ２以内であり、Ｓ１８の判定結果が“Ｙｅｓ”であった場合、エンジン１１は、Ｓ１９において、シャッタ機構を作動させてシャッタを切る。なお、Ｓ１８の判定結果が“Ｎｏ”で合った場合、処理をＳ１に戻さずにＳ１７へ進め、フォーカス合わせをやり直すか否かを、操作者に選択させるようにしてもよい。
【００２６】
次に、図５に示すフローチャートを参照して、デジタルカメラ１のエンジン１１によって行われるセキュリティ処理について説明する。
【００２７】
デジタルカメラ１の電源がＯＮされると、エンジン１１は、Ｓ２１において、操作者の指がタッチパネル３にタッチされているか否かを、判定する。操作者の指がタッチパネル３にタッチされておらず、Ｓ２１の判定結果が“Ｎｏ”であった場合、エンジン１１は、Ｓ２１の処理を繰り返す。
【００２８】
操作者の指がタッチパネル３にタッチされていて、Ｓ２１の判定結果が“Ｙｅｓ”であった場合、エンジン１１は、Ｓ２２において、タッチパネル３がタッチされているタッチ座標を取得する。エンジン１１は、続くＳ２３において、Ｓ２２で取得したタッチ座標と、図３，Ｓ６でカスタマイズ化されたタッチパネル３のタッチ位置とを比較し、操作者が図３，Ｓ７において登録された操作者であるか否かを、判定する。Ｓ２２で取得したタッチ座標とカスタマイズ化されたタッチ位置とが一致せず、登録された操作者でないと判定され、Ｓ２３の判定結果が“Ｎｏ”であった場合、エンジン１１は、Ｓ２４において、デジタルカメラ１の電源をＯＦＦにしてセキュリティ処理を終了する。エンジン１１は、タッチパネル３に触れた操作者が登録手段によって登録された操作者でないと判定手段によって判定された場合に、タッチパネル３からの操作入力を受け付けなくする操作ロック手段を構成している。
【００２９】
一方、Ｓ２２で取得したタッチ座標とカスタマイズ化されたタッチ位置とが一致し、登録された操作者であると判定され、Ｓ２３の判定結果が“Ｙｅｓ”であった場合、エンジン１１は、Ｓ２５において、上述した図４の撮影処理を行い、続くＳ２６において、撮影した画像データを図３，Ｓ６で作成した操作者のフォルダに保存し、処理を終了する。
【００３０】
このような本実施形態のデジタルカメラ１によれば、合焦機能やシャッタ機能に対応して操作される指の、タッチパネル３における接触位置に応じて、登録手段により、操作者が図３，Ｓ７において登録される。このため、登録された操作者の癖として、合焦機能やシャッタ機能に対応して操作される指の、タッチパネル３における接触位置をデジタルカメラ１に反映させることができ、同じ取り決められた操作であっても、操作者に合った操作にカスタマイズされるので、操作性の良いデジタルカメラ１を提供することができる。
【００３１】
また、本実施形態のデジタルカメラ１によれば、図５，Ｓ２３において、タッチパネル３に触れた操作者が登録手段によって登録された操作者であると判定手段によって判定されると、撮像データが、図３，Ｓ６においてフォルダ作成手段によって作成されたその操作者用のフォルダに、図５，Ｓ２６において記録手段によって記録される。このため、デジタルカメラ１の使用に際し、撮像データの保存先を操作者毎に作成する手間を省くことができる。
【００３２】
また、本実施形態のデジタルカメラ１によれば、図５，Ｓ２３において、タッチパネル３に触れた操作者が登録手段によって登録された操作者でないと判定された場合、Ｓ２４において、デジタルカメラ１の電源がＯＦＦにされ、タッチパネル３からの操作入力が操作ロック手段によって受け付けられなくなる。このため、デジタルカメラ１が不特定の人物に使用される虞が防止され、デジタルカメラ１のセキュリティが高められる。
【００３３】
また、本実施形態のデジタルカメラ１によれば、図３，Ｓ３〜Ｓ５において求められる、シャッタ機能に対応して複数回操作される指の、タッチパネル３における接触位置の平均値に応じて、操作者が登録される。このため、より正確に操作者の癖を把握して操作者を登録することができる。
【００３４】
なお、上記実施形態においては、シャッタ機能に対応して複数回操作される指の、タッチパネル３における接触位置の平均値に応じて操作者を登録する構成について説明したが、本発明はこれに限られることはない。例えば、１回の操作で検出される、指のタッチパネル３における接触位置に基づいて登録するようにしてもよい。この構成においては、カスタマイズ後、登録者の判別用閾値に余裕を持たせ、登録した操作者であるか否かの判別を行う。
【００３５】
また、上記実施形態においては、登録手段が、所定の装置機能に対応して操作される指の、タッチパネル３における接触位置に応じて操作者を登録する構成について説明したが、本発明はこれに限られることはない。例えば、所定の装置機能に対応して操作される指の、所定の動作に掛かる時間、例えば、合焦機能を作動させた後に、シャッタ機能を作動させるまでの時間に応じて操作者を登録する構成にしてもよい。
【００３６】
このような構成においては、登録手段により、所定の装置機能に対応して操作される指の、タッチパネル３における所定の動作に掛かる時間に応じて、操作者が登録される。このため、登録された操作者の癖として、所定の装置機能に対応して操作される指の、タッチパネル３における所定の動作に掛かる時間をデジタルカメラ１に反映させることができ、同じ取り決められた操作であっても、操作者に合った操作にカスタマイズされるので、操作性の良いデジタルカメラ１を提供することができる。また、合焦機能を作動させた後に、シャッタ機能を作動させるのに対応して複数回操作される指の、タッチパネル３における所定の動作に掛かる時間の平均値に応じて操作者が登録される場合には、より正確に操作者の癖を把握して操作者を登録することができる。
【００３７】
また、上記実施形態および変形例においては、登録する操作者の癖を、タッチパネル３における指の接触位置または所定の動作に掛かる時間から把握する場合について説明したが、本発明はこれに限られることはない。例えば、操作者が指でタッチパネル３の表面をなぞる際のタッチ幅やなぞりパターンを操作者の癖として把握し、操作者を登録するようにしてもよい。この構成においても、上記実施形態と同様の作用効果が奏される。
【００３８】
また、上記実施形態および変形例においては、操作者の癖を把握して操作者を登録する構成としたが、本発明はこれに限られることはない。例えば、操作者自身の身体的特徴を把握して操作者を登録する構成にしてもよい。例えば、ＣＣＤやＣＭＯＳなどからなる指を撮像する指撮像部を備えた画像認識式のタッチセンサをタッチパネル３として用い、指撮像部によって撮像された指撮像データの指紋から操作者を判別したり、また、指に照射した光の反射率の違いから操作者を判別して、操作者を登録するようにしてもよい。また、静電容量式のタッチセンサをタッチパネル３として用い、タッチによる静電容量の変化から操作者を判別して操作者を登録するようにしてもよい。また、振動検出式のタッチセンサをタッチパネル３として用い、タッチによるパネル表面振動の違いから操作者を判別して操作者を登録するようにしてもよい。
【００３９】
また、上記実施形態においては、指操作カスタマイズボタン４をタッチパネル３の右端の一部に設けた場合について説明したが、指操作カスタマイズボタン４の設置位置はこれに限られることはない。例えば、タッチパネル３の中のタッチ領域に設けてもよいし、タッチパネル３の外で別ボタンとして設けてもよい。
【００４０】
また、上記実施形態においては、ピント合わせが行われたことを背面モニタ５上にフォーカス枠６を表示させて報知する構成について説明したが、本発明はこれに限られることはない。例えば、ピント合わせが行われたことを振動や音で報知する構成にしてもよい。
【００４１】
また、上記実施形態においては、タッチパネル３をカメラ筐体２の背面から見て右側上面に設置した場合について説明したが、タッチパネル３の設置位置はこれに限られることはない。例えば、デジタルカメラ１の各筐体面（アウトバリアの場合も含む）の指が掛かり易い場所であれば、どの位置に設けてもよい。
【００４２】
図６は、図１に示したデジタルカメラ１の変形例によるデジタルカメラ３１の外観を示す背面斜視図である。なお、同図において図１と同一の部分には同一の符号を付してその説明は省略する。
【００４３】
この変形例によるデジタルカメラ３１は、図１に示したデジタルカメラ１に第２のタッチパネル３２が設けられて構成されている。第２のタッチパネル３２は、タッチパネル３に触れる例えば人差し指とは異なる例えば親指の接触位置を検出する。エンジン１１は、タッチパネル３によって検出される接触位置とこの第２のタッチパネル３２によって検出される接触位置とに応じて、操作者を内蔵メモリ１６に登録する。このような構成によれば、タッチパネル３によって検出される接触位置と第２のタッチパネル３２によって検出される接触位置との組み合わせから操作者が登録されるため、より正確に操作者の癖を把握して登録精度を向上させることができる。
【００４４】
なお、上記変形例において、第２のタッチパネル３２を１つ追加する場合について説明したが、追加するタッチパネルの設置個数はこれに限られることはなく、複数個追加してもよい。この際、追加するタッチパネルの設置位置は、デジタルカメラ１の各筐体面（アウトバリアの場合も含む）の指が掛かり易い場所であれば、どの位置に設けてもよい。
【産業上の利用可能性】
【００４５】
上記の実施形態においては、本発明による撮像装置をデジタルカメラに適用した場合について説明したが、携帯電話機に内蔵されるカメラ等にも適用することが可能である。このような撮像装置に本発明を適用した場合においても、上記実施形態と同様な作用効果が奏される。
【符号の説明】
【００４６】
１，３１…デジタルカメラ、３…タッチパネル、４…指操作カスタマイズボタン、１１…エンジン、３２…第２のタッチパネル
【図１】
2012008306.tif 000003
【図２】
2012008306.tif 000004
【図３】
2012008306.tif 000005
【図４】
2012008306.tif 000006
【図５】
2012008306.tif 000007
【図６】
2012008306.tif 000008